(57)【要約】  【課題】  メイン発光の発光時間を安定させる。  【解決手段】  デジタルビデオカメラ１は、段階的に固定された時間を計測可能なタイマ部１２を備えており、ストロボ発光部１５でプリ発光させた反射光を測光してタイマ部１２で計測させる時間をマイクロコンピュータ１０で選択する。マイクロコンピュータ１０は選択した時間に基づきアイリス３の絞り量を特定し、アイリス３を特定した絞り量に調整した状態で、タイマ部１２が選択された時間の計測を開始してから終了するまでストロボ発光部１５でメイン発光を行い、メイン発光期間中に撮像を行うことで、鮮明な画像を得る。【選択図】      図１
2005184558.tif 000002
【特許請求の範囲】
【請求項１】
発光源を備える撮像装置において、
前記発光源に撮像前の予備発光を行わせる予備発光手段と、
該予備発光手段が行った予備発光による光を測光する測光手段と、
複数の発光時間を記憶する手段と、
前記測光手段が測光した結果に基づき撮像用の本発光に係る時間を前記複数の発光時間の中から選択する時間選択手段と、
該時間選択手段が選択した時間の計測を行う計測手段と、
該計測手段が計測を開始してから終了するまで前記発光源に本発光を行わせる本発光手段と
を備えることを特徴とする撮像装置。
【請求項２】
発光源及び撮像に係る光量を調節する絞り部を備える撮像装置において、
前記発光源に撮像前の予備発光を行わせる予備発光手段と、
該予備発光手段が行った予備発光による光を測光する測光手段と、
複数の発光時間を記憶する手段と、
前記測光手段が測光した結果に基づき撮像用の本発光に係る時間を前記複数の発光時間の中から選択する時間選択手段と、
該時間選択手段が選択した時間に応じて前記絞り部の絞り量を決定する決定手段と、
前記時間選択手段が選択した時間の計測を行う計測手段と、
前記絞り部が前記決定手段で決定された絞り量に調整された状態で前記計測手段が計測を開始してから終了するまで前記発光源に本発光を行わせる本発光手段と
を備えることを特徴とする撮像装置。
【請求項３】
被撮像体に対し焦点を合致させる焦点合致手段を更に備え、
前記時間選択手段は、前記焦点合致手段が焦点を合致させた範囲で測光された結果に基づき時間を選択することを特徴とする請求項１又は請求項２に記載の撮像装置。
【請求項４】
被撮像体に対し焦点を合致させる焦点合致手段と、
該焦点合致手段が焦点を合致させた範囲を外周側の区域及び中央側の区域に分割する分割手段と、
該分割手段が分割した各区域に係数を、前記中央側の区域を外周側の区域より大きくした数値で設定する係数設定手段と
を更に備え、
前記時間選択手段は、各区域の係数及び該係数の区域で測光された結果の積に基づき時間を選択することを特徴とする請求項１又は請求項２に記載の撮像装置。
【発明の詳細な説明】
【技術分野】
【０００１】
本発明は、撮像前のストロボ発光部によるプリ発光（予備発光）による反射光を測光することで、状況に応じた適切なメイン発光（本発光）を行えるようにした撮像装置に関する。
【背景技術】
【０００２】
従来、発光源となるストロボ発光部の撮像時の発光量を制御するには、フォトトランジスタのような調光センサを用いた方式と、撮像前にプリ発光を行う方式とが主に用いられていた。
【０００３】
調光センサを用いた方式は、ストロボ発光部が撮像用のメイン発光を行っているときに、調光センサが一定の発光量を検出すると、ストロボ発光部の発光を強制的に停止させて所要の発光量を確保していた。一方、プリ発光を行う方式は、プリ発光により被撮像体で反射した光を測光した結果に基づきマイクロコンピュータのような制御部でメイン発光の開始及び終了を制御することにより、メイン発光の発光時間を調整して所要の発光量を確保していた。
【０００４】
また、一定光量しか発光しない簡易型ストロボを用いて適正な撮像を行うようにしたカメラが、以下の特許文献１に開示されている。この特許文献１では、撮像に係る一画面を８×８の６４ブロックに分割し、各ブロックの輝度データに対し設定値を掛けて固定した内容の重み付けを行うことで被写体の撮像時の照度を算出している。
【特許文献１】特開平１０−２０３５６号公報
【発明の開示】
【発明が解決しようとする課題】
【０００５】
上述した調光センサを用いた方式では、制御回路に調光センサを組み込むため回路構成が複雑になり、回路に係るコストが上昇すると云う問題があった。また、プリ発光を行う方式では、近年、マイクロコンピュータの処理能力の向上に伴い撮像装置に係る各種処理を単一の制御部で行うようになったため、制御部がメイン発光の制御処理を行っている場合に、他の制御処理が割り込み的に入ると、メイン発光の制御処理が一旦停止されてしまい、メイン発光の終了時期が不安定になって発光量が変動すると云う問題が生じている。
【０００６】
また、上述した各方式は発光時間を制御することで、発光量を調整するため、常にメイン発光においてはフル発光が要求され、一旦フル発光を行うと発光用の電力を充電するのに時間がかかりすぎると云う問題もあった。
【０００７】
さらに、プリ発光による反射光の測光に関しては、撮像範囲に被撮像体とは別に鏡及びメッキ品のような反射率の高い反射体が存在すると、プリ発光により反射体の方が被写体に比べて反射する度合いが大きくなるため、反射体での反射光に合わせて撮像範囲全体の輝度が決定されてしまい、明るく写したい被写体が暗く撮像されると云う問題もある。なお、この問題に対し、特許文献１のように撮像範囲を複数ブロックに分割して固定の重み付けを行い、ブロック毎にプリ発光に対する測光結果を積算することも想定できるが、依然として被写体とは別の反射体の反射光が測光されるため、この状態で撮像を行うと、結果的に被写体が暗い不鮮明な画像になってしまう。
【０００８】
本発明は、斯かる問題に鑑みてなされたものであり、プリ発光を行う方式において、予め設定された複数の時間の中からメイン発光に対する適切な時間を選択することで、発光時間が変動しないメイン発光を行えるようにした撮像装置を提供することを目的とする。
また、本発明は、絞り部の絞り量を調整することで、メイン発光の発光量を調整できるようにした撮像装置を提供することを目的とする。
【０００９】
さらに、本発明は、焦点が合致している範囲で測光された結果に基づきメイン発光に係る時間を選択することで、被撮像体の周囲に反射体が存在しても、反射体の影響を受けることなく鮮明に被撮像体を撮像できるようにした撮像装置を提供することを目的とする。
さらに、また、本発明は、焦点が合致している範囲を外周側及び中央側に区域に分割すると共に重み付けを外周側より中央側を大きくすることにより、本当に写したい被撮像体に対する測光処理を確実に行えるようにした撮像装置を提供することを目的とする。
【課題を解決するための手段】
【００１０】
上記課題を解決するために本発明の撮像装置は、発光源を備える撮像装置において、前記発光源に撮像前の予備発光を行わせる予備発光手段と、該予備発光手段が行った予備発光による光を測光する測光手段と、複数の発光時間を記憶する手段と、前記測光手段が測光した結果に基づき撮像用の本発光に係る時間を前記複数の発光時間の中から選択する時間選択手段と、該時間選択手段が選択した時間の計測を行う計測手段と、該計測手段が計測を開始してから終了するまで前記発光源に本発光を行わせる本発光手段とを備えることを特徴とする。
【００１１】
本発明にあっては、撮像用の本発光に係る時間の開始及び終了を従来のように制御部で行うのではなく、予備発光により選択された時間を計測手段で計測することで、本発光の発光時間に係る処理を制御部に関係しなくなる。その結果、本発光の発光時間が不安定に揺らぐことなくなり、発光開始から所要の時間経過後に確実に発光が終了し、安定した本発光により適切な撮像が可能になる。なお、選択した時間を計測する計測手段には、専用のカスタムＩＣ（ＡＳＩＣ）で形成されるタイマー、又は、アナログ式のタイマー等を適用できる。
【００１２】
また、本発明の撮像装置は、発光源及び撮像に係る光量を調節する絞り部を備える撮像装置において、前記発光源に撮像前の予備発光を行わせる予備発光手段と、該予備発光手段が行った予備発光による光を測光する測光手段と、複数の発光時間を記憶する手段と、前記測光手段が測光した結果に基づき撮像用の本発光に係る時間を前記複数の発光時間の中から選択する時間選択手段と、該時間選択手段が選択した時間に応じて前記絞り部の絞り量を決定する決定手段と、前記時間選択手段が選択した時間の計測を行う計測手段と、前記絞り部が前記決定手段で決定された絞り量に調整された状態で前記計測手段が計測を開始してから終了するまで前記発光源に本発光を行わせる本発光手段とを備えることを特徴とする。
【００１３】
本発明にあっては、選択した時間に応じて絞り部の絞り量を決定することで、本発光に係る時間が段階的に選択されても絞り部の絞り量で撮像装置が取り込む光量を調整できるようになる。また、絞り部で光量を調整することにより、発光源が本発光に対して毎回フル発光する必要も無くなり、選択された時間では少し光量が足りないときは、絞り部の開放度を大きくする方向に調整することで、光量の不足を補えるようになる。さらに、毎回のフル発光が必要で無くなることから、発光用の電力充電に時間がかかりすぎると云う事態が毎回生じることも防止される。
【００１４】
本発明の撮像装置は、被撮像体に対し焦点を合致させる焦点合致手段を更に備え、前記時間選択手段は、前記焦点合致手段が焦点を合致させた範囲で測光された結果に基づき時間を選択することを特徴とする。
本発明にあっては、焦点が合致する範囲で測光された結果に基づき本発光の時間を選択することにより、撮像範囲内の焦点が合致していない範囲に反射率の大きい反射体が存在しても、この反射体の影響を受けることなくなる。その結果、焦点が合致した範囲内の測光結果に基づき本発光に係る時間を選択できるようになる。
【００１５】
また、本発明の撮像装置は、被撮像体に対し焦点を合致させる焦点合致手段と、該焦点合致手段が焦点を合致させた範囲を外周側の区域及び中央側の区域に分割する分割手段と、該分割手段が分割した各区域に係数を、前記中央側の区域を外周側の区域より大きくした数値で設定する係数設定手段とを更に備え、前記時間選択手段は、各区域の係数及び該係数の区域で測光された結果の積に基づき時間を選択することを特徴とする。
【００１６】
本発明にあっては、焦点が合致した範囲を外周側及び中央側の区域に分割すると共に中央側の区域を外周側の区域に比べて大きい数値の係数を設定して重み付けることにより、焦点が合致した範囲内の被撮像体の直近周囲に反射率の大きい反射体が存在しても、この反射体の影響が測光結果に生じることを回避できるようになる。即ち、ユーザが焦点を合致させる場合、通常、焦点を合致させる範囲の中央に被撮像体を位置させることが多いため、中央側の重み付けを大きくすることで、焦点が合致した範囲内の他の存在による反射光を測光した結果が相対的に弱められ、その結果、ユーザが本当に写したい対象物の輝度に応じた本発光の発光時間を求められるようになる。
【発明の効果】
【００１７】
本発明にあっては、予め定められた中から選択した時間を計測している間、本発光を行う構成であるため、本発光に係る時間が不安定に揺らぐことなくなり、発光開始から所要の時間経過後に確実に発光が終了し、本発光時の発光量を安定させることができる。
また、本発明にあっては、選択した時間に対応して絞り部の絞り量を決定することにより、段階的な本発光の発光時間により定まる発光量を絞り部で調整できると共に、発光源が毎回フル発光することを不要にして発光に必要な電力の充電負担を低減できる。
【００１８】
さらに、本発明にあっては、焦点が合致する範囲の測光結果に基づき本発光の時間を選択することにより、焦点が合致していない範囲に存在する反射体の影響が測光に係る処理に生じることを防止できる。
さらに、また、本発明にあっては、焦点が合致した範囲を外周側及び中央側の区域に分割して中央側を外周側に比べて大きく重み付けることにより、焦点が合致した範囲の中央に位置する可能性が高い被撮像体の輝度に応じた本発光を可能にして、鮮明な被撮像体の画像を得ることができる。
【発明を実施するための最良の形態】
【００１９】
図１は、本発明の第１実施形態に係る撮像装置であるデジタルビデオカメラ１に係るブロック図である。デジタルビデオカメラ１は主に撮像に関連する部分として撮像レンズ２、アイリス３、撮像部４、画像サンプリング部５、Ａ／Ｄ変換部６、信号処理部７及びアイリス駆動部１１を備え、撮像した内容の記録及び出力に関連する部分として記録処理部８及び画像出力部９を備え、ストロボ発光に関連する部分としてタイマ部１２、トリガ部１３、放電部１４、ストロボ発光部１５、充電回路部１６及びコンデンサ１７を備え、カメラ全体の制御に係る部分としてマイクロコンピュータ１０を備えている。
【００２０】
デジタルビデオカメラ１は、撮像レンズ２を通して外部から光を取り込むようにしており、この取り込む光の光量をアイリス３（絞り部に相当）で調整している。なお、アイリス３の開放度は、マイクロコンピュータ１０で指定された絞り量になるようにアイリス駆動部１１が内蔵するモータでアイリス３の絞りを変動させることで調整される。また、取り込まれた光は、所要の画素数を有するＣＣＤ（Ｃｈａｒｇｅ  Ｃｏｕｐｌｅｄ  Ｄｅｖｉｃｅ）からなる撮像部４に集光される。撮像部４は集光された光による像を電気信号に変換する処理を行うと共に、集光された光を測光する測光手段としても機能している。
【００２１】
撮像部４で得られた電気信号は、画像サンプリング部５で相関二重サンプリングが行われて自動的にゲインが調整され、Ａ／Ｄ変換部６でデジタルの画像データに変換されてから、信号処理部７で輪郭強調信号の生成及び圧縮伸張等の所要の信号処理が行われる。信号処理部７で処理された画像データは記録処理部８又は画像出力部９へ送られる。記録処理部８へ送られた場合は、所要の処理を経て記録処理部８が有する記憶媒体に記録され、画像出力部９へ送られた場合は、外部へ出力される。また、撮像部４が測光手段として機能したときに、取り込まれた測光に係るデータは、上述した各部５、６、７を通じてマイクロコンピュータ１０へ送られる。
【００２２】
一方、デジタルビデオカメラ１におけるストロボ発光に関連する部分に含まれるタイマ部１２は、撮像用のメイン発光（本発光に相当）が行われる時間の計測を行う計測手段として機能している。具体的に本実施形態のタイマ部１２は、段階的に固定された時間を計測できる仕様になっており、計測対象の時間は後述するようにマイクロコンピュータ１０により指定される。また、タイマ部１２は、マイクロコンピュータ１０から計測開始の指示を受け付けたときに計測を開始すると共に、指定された時間の計測を終了したときに放電部１４へ発光停止信号を出力する仕様になっている。
【００２３】
トリガ部１３は、ストロボ発光部１５の発光を開始させるものであり、ストロボ発光部１５に静電気をかける処理を行う。なお、トリガ部１３はマイクロコンピュータ１０の発光開始の指示を受け付けたときに処理を行う。また、放電部１４は、ストロボ発光部１５への大電流の放流を制御するトランジスタで形成されており、マイクロコンピュータ１０からの発光開始の指示を受け付けて大電流の放流を開始する。さらに、放電部１４は、プリ発光のときは所要時間が経過すると自動的に放流を停止すると共に、メイン発光のときはタイマ部１２からの発光停止信号を受け付けることで放流を停止する。
【００２４】
ストロボ発光部１５は発光源に相当しキセノン放電管で形成されており、本実施形態では撮像前のプリ発光及び撮像用のメイン発光をマイクロコンピュータ１０の制御により行う。なお、ストロボ発光部１５は、トリガ部１３から静電気をかけられることで発光を開始し、放電部１４からの大電流の放流が停止されることで発光を終了する。また、充電回路部１６はストロボ発光用の電力を充電して供給するものであり、充電回路部１６は電力を一旦、コンデンサ１７へ供給する。コンデンサ１７は所要の電力を蓄えてから、ストロボ発光用に放電を行っている。
【００２５】
また、全体的な制御を行うマイクロコンピュータ１０は内蔵メモリを有しており、この内蔵メモリに自身が行う処理内容を規定したプログラムに加えて、タイマ部１２が計測する複数の時間、本発光の発光量及びアイリスの絞り量を決定するためのマップを夫々記憶している。さらに、マイクロコンピュータ１０は、図１で図示していない撮像ボタン及び各種スイッチが接続されており、これらボタン及びスイッチがユーザに操作されることに基づいて所要の制御及び処理を行う。
【００２６】
具体的には、撮像ボタンがユーザにより押し下げられると、マイクロコンピュータ１０は予備発光手段としてトリガ部１３及び放電部１４へプリ発光用の発光開始指示を出力しストロボ発光部１５にプリ発光を行わせる。また、被撮像体に反射したプリ発光による反射光を撮像部４に測光させて、測光に係るデータを各部５、６、７を通じて受け付けることで、マイクロコンピュータ１０は時間選択手段として、受け付けた測光に係る結果に基づきメイン発光用に係る時間を内部メモリに記憶したマップに従い選択している。
【００２７】
図２は、内部メモリに記憶される時間選択用のマップに係るグラフを示しており、例えば、測光されたデータ（測光結果）がａ１と云う値より小さい場合、メイン発光を行う発光時間としてｔ１が選択される。以下、測光結果がａ１以上ａ２未満のときは発光時間としてｔ２が選択され、測光結果がａ２以上ａ３未満のときは発光時間としてｔ３が選択され、測光結果がａ３以上ａ４未満のときは発光時間としてｔ４が選択され、測光結果がａ４以上のときは発光時間としてｔ５が選択される。なお、発光時間ｔ１〜ｔ５は、タイマ部１２が計測できる段階的な固定の時間に相当する。
【００２８】
マイクロコンピュータ１０は、メイン発光に係る時間を選択した場合、選択した時間を計測対象にするようにタイマ部１２へ指示信号を出力するため、時間選択後にマイクロコンピュータ１０で他の処理が割り込み的に行われても、時間の計測に係る処理はタイマ部１２で行われるので、割り込み処理により発光時間が従来のように変動しない。
【００２９】
また、マイクロコンピュータ１０は、上述したように選択した時間でメイン発光を行った場合の発光量を内部メモリに記憶したマップに基づき特定する処理も行っている。図３は、内部メモリに記憶される発光量特定用のマップに係るグラフを示しており、発光時間に対応する発光量が、グラフの曲線ｋ１により特定される。即ち、発光時間ｔ１が定まると曲線ｋ１に対応して発光量ｈ１が一義的に特定される。以下、発光時間ｔ２により発光量ｈ２が特定され、発光時間ｔ３により発光量ｈ３が特定され、発光時間ｔ４により発光量ｈ４が特定され、発光時間ｔ５により発光量ｈ５が特定される。なお、曲線ｋ１は線形でないため、隣接する各発光量ｈ１〜ｈ５の差は、発光量ｈ５へ近付く程小さくなっている。
【００３０】
さらに、マイクロコンピュータ１０は、上述したように選択した時間に基づき特定された発光量に応じたアイリス３の絞り量を内部メモリに記憶したマップに基づき決定する決定手段としても機能している。図４は、内部メモリに記憶される絞り量決定用のマップに係るグラフを示し、発光量に対応する絞り量が、グラフの直線ｋ２により決定される。即ち、発光量ｈ１が定まると直線ｋ２に対応して絞り量ｓ１が一義的に特定される。以下、発光量ｈ２により絞り量ｓ２が特定され、発光量ｈ３により絞り量ｓ３が特定され、発光量ｈ４により絞り量ｓ４が特定され、発光量ｈ５により絞り量ｓ５が特定される。
【００３１】
なお、曲線ｋ１は右下がり線形であるため、絞り量ｓ１のときアイリス３の開放度が最も大きく、絞り量ｓ５のときアイリス３の開放度が小さくして撮像部４に取り込む光量を抑えている。また、マイクロコンピュータ１０は上述したようにアイリス３の絞り量を決定すると、本発光手段として決定した絞り量にアイリス３の絞りを調整する指示をアイリス駆動部１１へ出力すると共に、タイマ部１２、トリガ部１３及び放電部１４へメイン発光の開始指示を出力してストロボ発光部１５にメイン発光を行わせる。
【００３２】
なお、マイクロコンピュータ１０は、メイン発光に係る時間の選択、発光量の特定及び絞り量の決定を内部メモリに記憶するマップに基づき行うため、自身の処理負担を低減していると共に処理時間の短縮化も図っている。また、マイクロコンピュータ１０は、上述した各処理によりメイン発光を行ったときに、撮像部４で撮像を行い、撮像したデータを各部５、６、７等で処理させる制御を行っている。
【００３３】
次に、上述した構成のデジタルビデオカメラ１における撮像ボタンの押し下げから撮像へ至る処理手順を図５の第１フローチャートに基づき説明する。
先ず、ユーザが撮像ボタンを押し下げること（Ｓ１）により、デジタルビデオカメラ１は撮像に係る処理の開始指示をユーザより受け付けて、マイクロコンピュータ１０の制御によりストロボ発光部１５でプリ発光を行う（Ｓ２）。
【００３４】
デジタルビデオカメラ１は、プリ発光の反射光を撮像部４で測光し（Ｓ３）、測光した結果に基づきマイクロコンピュータ１０は、メイン発光用の時間を選択し（Ｓ４）、選択した時間に基づいてメイン発光の発光量を特定して（Ｓ５）、特定した発光量に基づきアイリス３の絞り量を決定する（Ｓ６）。さらに、マイクロコンピュータ１０は、アイリス駆動部１１に決定した絞り量を指定することでアイリス３を調整し（Ｓ７）、タイマ部１２に選択した時間の計測を指示すると共に、タイマ部１２、トリガ部１３及び放電部１４へ発光開始の指示することで、タイマ部１２が選択された時間を計測している間、ストロボ発光部１５でメイン発光を行い（Ｓ８）、このメイン発光が行われているときに撮像部４で撮像を行う（Ｓ９）。
【００３５】
このように本実施形態のデジタルビデオカメラ１は、メイン発光を行う発光時間は、タイマ部１２の計測に依存しているため、マイクロコンピュータ１０で割り込み処理が行われても発光時間が変動しない。さらに、メイン発光に係る発光量はアイリス３により調整されるため、ストロボ発光部１５自体の発光量を制御する必要もなく、また、多量の発光量が要求されないときは、ストロボ発光部１５をフル発光させなくてもよくなり、コンデンサ１７への充電時間も短縮できる。
【００３６】
なお、本発明の第１実施形態は上述した形態に限定されるものではなく、以下のような変形例の適用も可能である。例えば、メイン発光に係る時間の選択、発光量の特定及び絞り量の決定を内部メモリに記憶するマップに基づき行うのではなく、所要の計算式に基づいて随時演算で算出することも可能である。また、メイン発光を行う発光時間によっては、撮像部４で取り込む画像が飽和しないこともあるため、このようなときは発光量の特定、絞り量の決定及びアイリス３の調整等の処理を省略することも可能である。さらに、上述した処理を行う構成部品をカメラより別体にして、本実施形態に係る処理を行えるようにしたストロボ発光装置として独立した装置にすることも可能である。なお、本発明の第１実施形態に係る内容は、動画を撮像するビデオカメラだけでなく静止画を撮像するカメラ（デジタルカメラを含む）にも適用可能である。
【００３７】
図６は、本発明の第２実施形態に係るデジタルビデオカメラ２０の要部に係るブロック図である。第２実施形態のデジタルビデオカメラ２０の主要な構成は、図１に示す第１実施形態のデジタルビデオカメラ１のブロック図と同様であり、ハード的に相違する点としては、図６に示すようにレンズ移動モータ２１（焦点合致手段に相当）を設けて撮像レンズ２を移動させることで、被撮像体に対し焦点を適宜合致できるようにしていることが挙げられる。なお、第２実施形態では第１実施形態と主要な構成が同一であるため、以下の説明では第１実施形態と同一の構成要素に対しては同一の符号を用いて説明する。
【００３８】
レンズ移動モータ２１はマイクロコンピュータ１０と接続されており、マイクロコンピュータ１０の指示により適宜、撮像レンズ２を移動させる。また、第２実施形態のデジタルビデオカメラ２０の処理の中で、第１実施形態と相違する処理には以下のことがある。
【００３９】
先ず、第２実施形態のデジタルビデオカメラ２０のマイクロコンピュータ１０は、ユーザによる撮像ボタンの半分押し下げによる操作を受け付けて、被撮像体に焦点が合致するように撮像レンズ２をレンズ移動モータ２１により移動させる制御を行う。また、焦点が合致した状態でユーザにより撮像ボタンの全てが押し下げられた操作をマイクロコンピュータ１０が受け付けると、第１実施形態と同様にプリ発光を行わせるが、第２実施形態では測光に係る処理を第１実施形態と相違させている。
【００４０】
図７は撮像部４による撮像範囲３０を示しており、この撮像範囲３０の内部に位置する円の内側が撮像に対する焦点合致範囲３１になり、このような焦点合致範囲３１は、撮像レンズ２の移動により変動する。マイクロコンピュータ１０は撮像部４がプリ発光により被撮像体で反射した反射光を測光した結果の中から焦点合致範囲３１の分を受け付けるようにしている。
【００４１】
また、マイクロコンピュータ１０は分割手段として、撮像レンズ２の移動により変動する焦点合致範囲３１を格子状に複数の区域に分割する処理を行い、焦点合致範囲３１に外周側に属する区域（円の境界に近い区域）と中央側に属する区域（円の中心に近い区域）とを形成している。なお、本実施形態では、中央側の区域は図７中にハッチングで示した計４個の区域３１ａ〜３１ｄが相当し、その他の区域が外周側の区域に相当する。
【００４２】
さらに、マイクロコンピュータ１０は係数設定手段として、分割した各区域に係数を設定する処理を行う。設定される係数は外周側の区域と中央側の区域とでは相違しており、本実施形態では、外周側の各区域には「１０」と云う係数を設定すると共に、中央側の区域３１ａ〜３１ｄには外周側より大きい数値である「４０」と云う区域を設定している。なお、中央側の区域３１ａ〜３１ｄに大きい数値の区域を設定する理由は、焦点合致範囲３１の中央付近にユーザが撮像しようとしている被撮像体が位置することが多いためである。
【００４３】
さらに、また、マイクロコンピュータ１０は、時間選択手段としてメイン発光に係る時間を選択する際、焦点合致範囲３１の内部の各区域に対する測光結果に、該当する各区域の係数を積算し、この積算した結果に基づきメイン発光の時間を選択している。このような処理を行うことで、被撮像体の反射光を適切に測光することになり、もし、焦点合致範囲３１の外周側に反射率の大きい反射体が存在しても、このような反射体による反射光が測光処理に影響を及ぼすことを回避できるようになる。なお、上述した処理内容以外は、第１実施形態と同様であるため説明を省略する。
【００４４】
次に、第２実施形態のデジタルビデオカメラ２０の焦点合致から撮像に至る処理手順を図８の第２フローチャートに基づき説明する。
先ず、ユーザが撮像ボタンを半分押し下げること（Ｓ１０）により、デジタルビデオカメラ２０のマイクロコンピュータ１０は半分押し下げ操作を受け付けて、レンズ移動モータ２１を駆動制御し撮像に係る焦点を合致させる（Ｓ１１）。なお、焦点が合致すると、マイクロコンピュータ１０は図７に示すように焦点合致範囲３１を複数の区域に分割すると共に、各区域に対し上述したような係数を設定する処理を行う。このように焦点が合致した状態でユーザが撮像ボタンを全て押し下げる（Ｓ１２）ことにより、マイクロコンピュータ１０は撮像に係る処理の開始指示を受け付けて、ストロボ発光部１５でプリ発光を行う（Ｓ１３）。
【００４５】
次に、マイクロコンピュータ１０は、プリ発光の反射光を撮像部４で測光した結果から、焦点合致範囲３１の測光結果を受け付けて（Ｓ１４）、各区域の測光結果に対応する係数を積算することで測光結果に重み付けを行う（Ｓ１５）。以降は、第１実施形態と同様な処理となり、マイクロコンピュータ１０は、重み付けした結果に基づきメイン発光用の時間を選択し（Ｓ１６）、選択した時間に基づいてメイン発光の発光量を特定し（Ｓ１７）、特定した発光量に基づきアイリス３の絞り量を決定する（Ｓ１８）。それから、マイクロコンピュータ１０は、決定した絞り量にアイリス３を調整し（Ｓ１９）、この状態でタイマ部１２が選択された時間を計測している間、ストロボ発光部１５がメイン発光を行い（Ｓ２０）、メイン発光が行われているときに撮像部４が撮像を行う（Ｓ２１）。
【００４６】
このように第２実施形態のデジタルビデオカメラ２０では、被撮像体が位置すると思われる部分に重み付けして測光に係る処理を行うため、被撮像体の輝度に応じた発光量でメイン発光を行うことができ、被撮像体を鮮明に撮像することが可能になる。なお、第２実施形態においても各種変形例の適用が可能であり、例えば、より簡易な処理を行う場合は、焦点合致範囲３１を複数の区域に分割すること、及び、各区域に係数を設定することを省略するようにしてもよい。この場合、マイクロコンピュータ１０は集光合致範囲３１に対する測光結果に基づいてメイン発光に係る時間を選択することになる。このような簡易な処理では、図７に示す撮像範囲３０の内側で且つ集光合致範囲３１の外側に反射率の大きい反射体が存在する場合、測光に係る処理に前記反射体の影響が生じることを回避できると云う効果が生じる。
【００４７】
また、上述した重み付けによる測光処理及び変形例の簡易な測光処理は、タイマ部１２を用いない形態でメイン発光の発光時間を決定する処理にも適用可能である。なお、第２実施形態においても、上述した第１実施形態の各変形例を適用することができる。
【図面の簡単な説明】
【００４８】
【図１】本発明の第１実施形態に係るデジタルビデオカメラのブロック図である。
【図２】測光結果とメイン発光に係る発光時間との関係を示すグラフである。
【図３】発光時間と発光量との関係を示すグラフである。
【図４】発光量と絞り量との関係を示すグラフである。
【図５】第１実施形態のデジタルビデオカメラの処理手順を示す第１フローチャートである。
【図６】第２実施形態に係るデジタルビデオカメラの要部のブロック図である。
【図７】撮像範囲での焦点合致範囲及び区域の分割状態を示す概略図である。
【図８】第２実施形態のデジタルビデオカメラの処理手順を示す第２フローチャートである。
【符号の説明】
【００４９】
１  デジタルビデオカメラ
２  撮像レンズ
３  アイリス
４  撮像部
１０  マイクロコンピュータ
１１  アイリス駆動部
１２  タイマ部
１３  トリガ部
１５  ストロボ発光部
１７  コンデンサ
２１  レンズ移動モータ
３０  撮像範囲
３１  焦点合致範囲
３１ａ〜３１ｄ  区域（中央側）
【図１】
2005184558.tif 000003
【図２】
2005184558.tif 000004
【図３】
2005184558.tif 000005
【図４】
2005184558.tif 000006
【図５】
2005184558.tif 000007
【図６】
2005184558.tif 000008
【図７】
2005184558.tif 000009
【図８】
2005184558.tif 000010